(57)【要約】【課題】従来の充填剤によるひび割れの補修の問題を解決して、充填剤でひび割れを補修できるようにする、屋根材補修補助部材、それを含む屋根材補修セット、並びにそれらを用いた屋根材の補修方法を提供する。【解決手段】屋根材のひび割れの補修前に、ひび割れのある屋根材の底面側に挿入され、前記ひび割れに流し込まれる充填剤の前記ひび割れのある屋根材の底面側に積層された屋根材への接触を阻止するとともに、前記ひび割れのある屋根材の底面で前記充填剤を展開させ、前記充填剤が硬化した後には、屋根材の底面側から抜き取られる屋根材補修補助部材であって、前記充填剤が接着、固着しない充填剤非固着性素材製であることを特徴とする屋根材補修補助部材の構成とした。【選択図】図１
2019007280.tif 000002
【特許請求の範囲】
【請求項１】
屋根材のひび割れの補修前に、ひび割れのある屋根材の底面側に挿入され、前記ひび割れに流し込まれる充填剤の前記ひび割れのある屋根材の底面側に積層された屋根材への接触を阻止するとともに、前記ひび割れのある屋根材の底面で前記充填剤を展開させ、前記充填剤が硬化した後には、屋根材の底面側から抜き取られる屋根材補修補助部材であって、
前記充填剤が接着、固着しない充填剤非固着性素材製であることを特徴とする屋根材補修補助部材。
【請求項２】
前記充填剤非固着性素材が、ポリエチレンプロピレンであることを特徴とする請求項１に記載の屋根材補修補助部材。
【請求項３】
屋根材間への挿入端となる先端部で折れ曲がった上面と下面からなる二層構造で、前記二層構造間に、屋根材補修補助部材の屋根材間への挿入をガイドするインサートを挟み、前記インサートとともに屋根材間に挿入されることを特徴とする請求項１又は請求項２に記載の屋根材補修補助部材。
【請求項４】
前記二層構造の上側又は下側が他方より長い突出部を備え、屋根材間に挿入されたときに、前記突出部が屋根材間から突出しており、当該屋根材補修補助部材を抜き取るときのツマミとなることを特徴とする請求項３に記載の屋根材補修補助部材。
【請求項５】
前記二層構造の先端部に、折れ目と平行に、複数の溝を設けたことを特徴とする請求項３又は請求項４に記載の屋根材補修補助部材。
【請求項６】
内部空間を備えることを特徴とする請求項１又は請求項２に記載の屋根材補修補助部材。
【請求項７】
前記充填剤が、
液状エポキシ樹脂に硬化促進剤を混合して、硬化する樹脂であることを特徴とする請求項１〜請求項６の何れか１項に記載の屋根材補修補助部材。
【請求項８】
請求項１〜請求項５の何れか１項に記載の屋根材補修補助部材と、
前記屋根材補修補助部材の屋根材間への挿入のガイドであるインサートと、
前記ひび割れに流し込まれ硬化する充填剤を内包した充填剤パックと、
からなることを特徴とする屋根材補修セット。
【請求項９】
前記インサートが、屋根材間に挿入されるプレートと、前記プレートの反挿入端部に設けた取っ手とからなることを特徴とする請求項８に記載の屋根材補修セット。
【請求項１０】
前記プレートの反挿入端に段差を備え、前記段差が屋根材の下端部に掛り、前記インサートの位置決めストッパとなることを特徴とする請求項９に記載の屋根材補修セット。
【請求項１１】
請求項６に記載の屋根材補修補助部材と、
前記ひび割れに流し込まれ硬化する充填剤を内包した充填剤パックと、
からなることを特徴とする屋根材補修セット。
【請求項１２】
請求項１〜請求項７の何れか１項に記載の屋根材補修補助部材を、屋根材のひび割れの補修前に、ひび割れのある屋根材の底面側に挿入し、充填剤を前記ひび割れに流し込み、硬化させて、前記ひび割れを補修することを特徴とする屋根材の補修方法。
【請求項１３】
前記硬化を、
前記充填剤を前記ひび割れのある屋根材の底面とひび部に流し込み硬化させる一次処理と、
前記充填剤が硬化した後、さらに、前記充填剤をひび部に流し込み硬化させる二次処理によって行うことを特徴とする請求項１２に記載の屋根材の補修方法。
【請求項１４】
前記二次処理前に、前記屋根材補修補助部材を抜き取ることを特徴とする請求項１３に記載の屋根材の補修方法。
【発明の詳細な説明】
【技術分野】
【０００１】
本発明は、屋根に積層される屋根材のひび及び／又は割れ（「ひび割れ」）を補修するための屋根材補修補助部材、屋根材補修セット、並びにそれを用いた屋根材の補修方法に関する。
【背景技術】
【０００２】
多くの住宅屋根には、図１に示すような住宅用化粧スレートとも呼ばれる板状の屋根材５が用いられている。最も使用されている屋根材の形状は、概ね、縦長４１０ｍｍ（最長部）、横長９１０ｍｍ、縦長３３０ｍｍのところに角がある略５角形で、厚さ約５ｍｍである。なお、板状の屋根材には、当然に平板瓦も含まれる。
【０００３】
従来は、多くの屋根材の組成中に強度付与のため、アスベストが添加されていた。現在では屋根材にアスベストを添加することは禁止されているが、数年前以前に施工された屋根にはアスベスト入り屋根材が使用され、現在でも屋根に葺かれたまま多数存在する。
【０００４】
アスベストの健康問題から、現在葺かれているものと同一の製品はすでに製造中止になっており、屋根材が経年劣化でひび割れなどを発生した場合でも交換ができないことが多い。また、他の屋根材に交換するにしても、屋根材に添加されたアスベストの健康問題から、屋根材の交換には特別な処理が必要で、多大な費用がかかるのが現状である。
【０００５】
従って、ひび割れは充填剤などで補修されていることが多い。ところが、従来の充填剤による補修では、ひび割れ直下の屋根材に流れ込み、固着させてしまわないよう、充填剤に粘度があり充填剤がひび割れの隙間全域に完全に浸透せず、雨水を通してしまうことがあった。
【０００６】
他方、スレートの屋根材５は、設置から１０年程度でメンテナンス（塗装）が必要であるとされている。その塗装の作業の際、スレートの屋根材５を割ってしまうことがある。その補修も上記理由と同様の問題がある。
【０００７】
そこで、発明者は、これまでに、ひび割れがある屋根材での補修、漏水防止のため特許文献１−３の技術を提案している。特許文献１−３は、いずれも従来の充填剤によらない、ひび割れをカバーして、或いは、ひび割れをそのままにしてひび割れのある屋根材の直下に下敷きを施し、雨水を受け流す構造の補修材、漏水防止材、縁切り兼補修材であり、ひび割れの根本的補修に至っていなかった。
【０００８】
さらに、特許文献１−３の部材にも、強度のため、一定の厚みが必要で、屋根材間に挿入した場合、段差が生じ、そこを足で踏むと屋根材を割ってしますことが希にあった。また、ひび割れの大きさに関係なく、一定の大きさであるので小さなひびに対して、割高な印象を与えることがあった。
【先行技術文献】
【特許文献】
【０００９】
【特許文献１】特開２０１２−０５７４２１号公報／屋根補修材及び屋根の補修工法
【特許文献２】特開２０１２−０５７４２２号公報／屋根の漏水防止材及び漏水防止工法
【特許文献３】特開２０１５−１３２０６４号公報／屋根材のバネ式補修材、及び縁切り材
【発明の概要】
【発明が解決しようとする課題】
【００１０】
そこで、本発明は、改めて、従来の充填剤によるひび割れの補修の問題を解決して、充填剤でひび割れを補修できるようにする、屋根材補修補助部材、それを含む屋根材補修セット、並びにそれらを用いた屋根材の補修方法を提供することを目的とする。
【課題を解決するための手段】
【００１１】
本発明は、上記課題を解決するために、
（１）
屋根材のひび割れの補修前に、ひび割れのある屋根材の底面側に挿入され、前記ひび割れに流し込まれる充填剤の前記ひび割れのある屋根材の底面側に積層された屋根材への接触を阻止するとともに、前記ひび割れのある屋根材の底面で前記充填剤を展開させ、前記充填剤が硬化した後には、屋根材の底面側から抜き取られる屋根材補修補助部材であって、
前記充填剤が接着、固着しない充填剤非固着性素材製であることを特徴とする屋根材補修補助部材。
（２）
前記充填剤非固着性素材が、ポリエチレンプロピレンであることを特徴とする（１）に記載の屋根材補修補助部材。
（３）
屋根材間への挿入端となる先端部で折れ曲がった上面と下面からなる二層構造で、前記二層構造間に、屋根材補修補助部材の屋根材間への挿入をガイドするインサートを挟み、前記インサートとともに屋根材間に挿入されることを特徴とする（１）又は（２）に記載の屋根材補修補助部材。
（４）
前記二層構造の上側又は下側が他方より長い突出部を備え、屋根材間に挿入されたときに、前記突出部が屋根材間から突出しており、当該屋根材補修補助部材を抜き取るときのツマミとなることを特徴とする（３）に記載の屋根材補修補助部材。
（５）
前記二層構造の先端部に、折れ目と平行に、複数の溝を設けたことを特徴とする（３）又は（４）に記載の屋根材補修補助部材。
（６）
内部空間を備えることを特徴とする（１）又は（２）に記載の屋根材補修補助部材。
（７）
前記充填剤が、
液状エポキシ樹脂に硬化促進剤を混合して、硬化する樹脂であることを特徴とする（１）〜（６）の何れかに記載の屋根材補修補助部材。
（８）
（１）〜（５）の何れかに記載の屋根材補修補助部材と、
前記屋根材補修補助部材の屋根材間への挿入のガイドであるインサートと、
前記ひび割れに流し込まれ硬化する充填剤を内包した充填剤パックと、
からなることを特徴とする屋根材補修セット。
（９）
前記インサートが、屋根材間に挿入されるプレートと、前記プレートの反挿入端部に設けた取っ手とからなることを特徴とする（８）に記載の屋根材補修セット。
（１０）
前記プレートの反挿入端に段差を備え、前記段差が屋根材の下端部に掛り、前記インサートの位置決めストッパとなることを特徴とする（９）に記載の屋根材補修セット。
（１１）
（６）に記載の屋根材補修補助部材と、
前記ひび割れに流し込まれ硬化する充填剤を内包した充填剤パックと、
からなることを特徴とする屋根材補修セット。
（１２）
（１）〜（７）の何れかに記載の屋根材補修補助部材を、屋根材のひび割れの補修前に、ひび割れのある屋根材の底面側に挿入し、充填剤を前記ひび割れに流し込み、硬化させて、前記ひび割れを補修することを特徴とする屋根材の補修方法。
（１３）
前記硬化を、
前記充填剤を前記ひび割れのある屋根材の底面とひび部に流し込み硬化させる一次処理と、
前記充填剤が硬化した後、さらに、前記充填剤をひび部に流し込み硬化させる二次処理によって行うことを特徴とする（１２）に記載の屋根材の補修方法。
（１４）
前記二次処理前に、前記屋根材補修補助部材を抜き取ることを特徴とする（１３）に記載の屋根材の補修方法。
の構成とした。
【発明の効果】
【００１２】
本発明は以上の構成の屋根材補修補助部材を備えるため、ひび割れ下の屋根材に固着させることなく、ひび割れを充填剤で補修することができる。そして、充填剤が屋根材底面に薄く水平方向に展開するので、段差なく補修が仕上がり、補修部の踏み込みによる屋根材の破損を防止することができる。
【図面の簡単な説明】
【００１３】
【図１】本発明である本発明の一例である屋根材補修セット１の模式図である。
【図２】屋根材補修補助部材２とインサート３の分離斜視図である。
【図３】本発明である屋根材補修セット１の使用方法、屋根材補修方法の説明図である。
【図４】本発明である屋根材補修セット１の使用方法、屋根材補修方法の説明図である。
【図５】本発明である屋根材補修セット１の使用方法、屋根材補修方法の説明図である。
【図６】本発明である屋根材補修セット１の使用方法、屋根材補修方法の説明図である。
【図７】本発明である屋根材補修セット１の使用方法、屋根材補修方法の説明図である。
【図８】本発明である第二の屋根材補修補助部材１２の説明図である。
【発明を実施するための形態】
【００１４】
以下、添付の図面を参照し、本発明の実施の形態について詳細に説明する。なお、本発明は下記実施例に限定されるものではない。
【実施例１】
【００１５】
図１−２に示すように、（Ａ）屋根材５のひび割れ５ｂの補修に利用される、本発明の一例である屋根材補修セット１は、（Ｂ）屋根材補修補助部材２と、（Ｃ）インサート３と、（Ｄ）充填剤パック４と、からなる。
【００１６】
屋根材補修補助部材２は、特に図２に示すように、屋根材間への挿入端となる先端部２ｃで折れ曲がった上面２ａと下面２ｂからなる二層構造である。そして、その二層構造間に、屋根材補修補助部材２の屋根材間への挿入をガイドするインサート３を挟み、インサート３とともに屋根材間に挿入される。
【００１７】
二層構造の上面２ａ又は下面２ｂが他方より長い突出部２ｄを備える。実施例１では、インサート３構造との関係で、下面２ｂ側に突出部２ｄが設けられている。突出部２ｄは、屋根材間に挿入されたときに、屋根材間から突出しており、当該屋根材補修補助部材２を抜き取るときの指で摘む、ツマミとなる。
【００１８】
二層構造の先端部２ｃに、折れ目と平行に、複数の溝２ｅを設けている。溝２ｅを設けることで、屋根材補修補助部材２を引き抜く際、スムーズになる。溝２ｅがないと引抜き抵抗が強い。また、下面２ｂを細くすることで、屋根材間からの引き抜き抵抗を低減させることができ、作業性がよい。
【００１９】
このようにしてなる屋根材補修補助部材２は、屋根材５のひび割れ５ｂの補修前に、ひび割れ５ｂのある屋根材５の底面側に、図１では、上の屋根材５と下の屋根材５ｃとの間に挿入され、ひび割れ５ｂに流し込まれる充填剤が、ひび割れ５ｂのある屋根材５の底面側に積層された下の屋根材５ｃに接触するのを阻止するとともに、ひび割れ５ｂのある屋根材５の底面で充填剤を展開させ、充填剤が硬化した後には、屋根材５の底面側から抜き取られる。
【００２０】
屋根材補修補助部材２と屋根材５の底面とが接近して位置することで、屋根材５の底面側に流れこんできた充填剤が毛細管現象で、屋根材５の底面において水平に薄く展開する。その結果、充填剤を段差なく硬化させることができる。
【００２１】
そして、屋根材補修補助部材２は、充填剤が接着、固着しない充填剤非固着性素材製である。充填剤非固着性素材としては、エポキシ樹脂の場合には、ポリエチレンプロピレンなどが例示できる。
【００２２】
インサート３は、特に図２に示すように、屋根材間に挿入されるプレート３ａと、プレート３ａの反挿入端部に設けた取っ手３ｂとからなり、屋根材補修補助部材２を屋根材間に挿入するための治具である。
【００２３】
プレート３ａの反挿入端に段差３ｃを備え、段差３ｃが屋根材の下端部５ａに掛り、インサート３の位置決めとなる。
【００２４】
充填剤パック４は、特に図１に一例を示すように、外側を第一シール部４ｂで密封し、内部において、液状エポキシ樹脂４ｄと、その硬化調節（促進）させる、硬化促進剤４ｅとを第二シール部４ｃで区分けして内包する容器４ａである。その形状は特に限定するものではないが、目的の補修箇所に充填剤を流し出すため、その先端を細くすると、作業性がよくなり好ましい、
【００２５】
第二シール部４ｃは、第一シール部４ｂより弱い圧着で、液状エポキシ樹脂４ｄと硬化促進剤４ｅを押圧することで、解離し、液状エポキシ樹脂４ｄと硬化促進剤４ｅが混合され、液状の充填剤になる。液状の充填剤は、空気、光、温度などに反応して硬化する。
【００２６】
充填剤が、液状であるが故に、狭いひび割れ５ｂに浸透し、また屋根材５の底面で屋根材補修補助部材２に圧迫され、薄く展開し、いずれ硬化する。これにより、屋根材間に段差が発生せず、足の踏み込みによる破損を防止することができる。
【実施例２】
【００２７】
次に、図３−７を参照して、図１の屋根材補修セット１を用いた屋根材の補修方法について説明する。先ず、屋根材補修補助部材２とインサート３を図１の状態に組み、すなわち、折られた二層構造の屋根材補修補助部材２の間にインサート３を配置する。
【００２８】
そして、図３に示すように、取っ手３ｂを握って、屋根材５のひび割れ５ｂの補修前に、ひび割れ５ｂのある屋根材５の底面側に、屋根材補修補助部材２とインサート３を挿入する。段差３ｃが、下端部５ａに当接して、インサート３の位置決めストッパとなる。この位置で、突出部２ｄは、屋根材間に入り込まない長さとしてある。
【００２９】
続いて、図４に示すように、充填剤パック４を押圧して、第二シール部４ｃの圧着を開放してそれぞれ連通させ、液状エポキシ樹脂４ｄと硬化促進剤４ｅを混合し、充填剤４ｆを調整する。そして、容器４ａの先端４ｉをカットして充填剤４ｆを目的のひび割れ５ｂに絞り出す。
【００３０】
すると、充填剤４ｆは、流動性が高いため、ひび割れ５ｂに浸透し、さらら屋根材５の底面と屋根材補修補助部材２と狭い隙間において、毛細管現象で水平方向に展開する、なお、このとき、上下の屋根材５、５ｃの間が十分に狭い場合には、インサート３は充填剤の絞り出し前に、引き抜いてもよい。最後に引き抜いてもよい。多数の補修箇所がある場合には、順次処理するため、硬化前にインサート３を引き抜き、次の補修をすると作業効率がよい。  
【００３１】
その後、図５に示すように、液状エポキシ樹脂４ｄと硬化促進剤４ｅの混合物である液状充填剤は、外気に接触し、昇温により硬化し、ひび割れ５ｂの底と屋根材５の底面に展開した充填剤が硬化して下補修部４ｇになり、ひび割れを埋める。
【００３２】
次に、図６に示すように、仕上げとして、埋まり切らなかったひび割れ５ｂに追加で、充填剤４ｆを注入する。このように、充填剤を二段階で処理をすることで、適量の充填剤４ｆを充填し、硬化させることができる。
【００３３】
最後に、二回目に注入した充填剤が硬化し、上補修部４ｈが形成させるまで待つ。その前に、屋根材補修補助部材２を引き抜いても、硬化後に引き抜いてもよい。突出部２ｄをツマミ、引き抜けば、屋根材補修補助部材２は充填剤非固着性素材製であるので、充填剤４ｆが固着することなく、簡易に引き抜くことができる。
【実施例３】
【００３４】
図８に示すように、第二の屋根材補修補助部材１２は、インサートを用いることなく、屋根材間に先端部１２ｃから挿入できるよう、内部空間１２ｂを備える本体１２ａと、挿入したとき屋根材間から突出する突出部１２ｄからなる。突出部１２ｄは、突出部２ｄと同じ目的で設けられている。
【００３５】
内部空間１２ｂに気体を充満さえることで、厚みを持ち、屋根材間に距離がある場合でも、本体１２ａを屋根材底面に押し当てることができ、屋根材間にスペースがあっても、充填剤の流れ出しを防ぎ、水平方向に薄く充填剤を毛細管現象で展開させることができる。
【００３６】
したがって、屋根材補修補助部材１２で、屋根材補修セットを組む場合には、インサート３を含めず、充填剤パック４の２点でよい。
【符号の説明】
【００３７】
１      屋根材補修セット
２      屋根材補修補助部材
２ａ    上面
２ｂ    下面
２ｃ    先端部
２ｄ    突出部
２ｅ    溝
３      インサート
３ａ    プレート
３ｂ    取っ手
３ｃ    段差
４      充填剤パック
４ａ    容器
４ｂ    第一シール部
４ｃ    第二シール部
４ｄ    液状エポキシ樹脂
４ｅ    硬化促進剤
４ｆ    充填剤
４ｇ    下補修部
４ｈ    上補修部
４ｉ    先端
５      屋根材
５ａ    下端部
５ｂ    ひび割れ
５ｃ    屋根材
１２    屋根材補修補助部材
１２ａ  本体
１２ｂ  空間
１２ｃ  先端部
１２ｄ  突出部
【図１】
2019007280.tif 000003
【図２】
2019007280.tif 000004
【図３】
2019007280.tif 000005
【図４】
2019007280.tif 000006
【図５】
2019007280.tif 000007
【図６】
2019007280.tif 000008
【図７】
2019007280.tif 000009
【図８】
2019007280.tif 000010